(57)【特許請求の範囲】
【請求項１】
２つの分離したルアー本体を有するプラグ型ジョイントルアーであって、
形状記憶合金製ワイヤと、
前記ワイヤの一端側に連結されており、魚の頭部に似せて成形され、第１フックが設けられた第１ルアー本体と、
前記ワイヤの他端側に連結されており、魚の尾部に似せて成形され、第２フックが設けられた第２ルアー本体と、
を備えたルアー。
【請求項２】
弾性を有するルアー本体が取り付けられるソフトベイト型ルアー用ジグであって、
形状記憶合金製のワイヤ部と、
前記ワイヤ部の一端に設けられたシンカ部と、
前記ワイヤ部に設けられた第１フック部と、
を備えたソフトベイト型ルアー用ジグ。
【請求項３】
前記ワイヤ部の他端に設けられた連結部をさらに備えている、請求項２に記載のソフトベイト型ルアー用ジグ。
【請求項４】
前記ワイヤ部の他端に設けられた第２フック部をさらに備えている、請求項２に記載のソフトベイト型ルアー用ジグ。
【請求項５】
前記シンカ部は、ラインを係止するライン係止部をさらに備えている、請求項２から４のいずれかに記載のソフトベイト型ルアー用ジグ。
【請求項６】
請求項２から５のいずれかに記載のジグと、
一方向に長く延びるように形成されたゴム製のルアー本体とを備え、
前記ジグは前記ルアー本体を貫通している、ソフトベイト型ルアー。
【発明の詳細な説明】
【０００１】
【発明の属する技術分野】
本発明は、魚釣りに用いるルアー及びルアー用ワイヤに関する。
【０００２】
【従来の技術】
従来のジョイントルアーは、プラスチック樹脂製のルアー頭部と、ルアー頭部に設けられたアイ等の連結部と、連結部を介してルアー頭部に連結されているプラスチック樹脂製のルアー尾部とを有している。
このジョイントルアーは、頭部と尾部とが別個に形成されており、連結部で自在に折曲することができるので、魚に近い自然な動きが可能である。
【０００３】
また、従来のソフトベイト型ルアーは、ゴム製のルアー本体を有するものであり、使用する際にフック（釣り針）に取り付けられて使用される。
このソフトベイト型ルアーでは、弾力性のあるゴム製のルアー本体が水中で生き餌の様に漂い、魚をおびき寄せる。
【０００４】
【発明が解決しようとする課題】
前記従来のジョイントルアーでは、キャスティング時に、ルアー頭部とルアー尾部とが必要以上に折曲し、また、ルアー頭部と尾部とが相互に回転してしまうこともあり、重心が定まらず遠方のねらった箇所にルアーを投げ入れることが難しい。さらに、着水後の引き寄せ時にも、ルアー頭部とルアー尾部とが必要以上に折曲して絡まってしまう場合があり、魚の様なしなやかな動きを再現することが難しい。
【０００５】
一方、前記従来のソフトベイト型ルアーでは、ユーザが自らフックやシンカ（重り）等をセットしリグ（仕掛け）を作る必要があり、このリグの作成に手間がかかる。また、着水後の引き寄せ時においては、速いピッチで動かされるので、ルアー本体に通常のフックをセットしたのみでは、魚を捕らえた際のフッキングが悪く魚を逃がしてしまう場合がある。
【０００６】
本発明の解決しようとする課題は、遠方に正確に投げ入れることができるジョイントルアーを提供することにある。
また、本発明の別の課題は、魚のようにしなやかに動くことができるジョイントルアーを提供することにある。
本発明のさらに別の課題は、リグの作成が容易なソフトベイト型ルアー用ジグを提供することにある。
【０００７】
本発明の別の課題は、フッキングの良好なソフトベイト型ルアーを提供することにある。
【０００８】
【課題を解決するための手段】
発明１に係るルアーは、２つの分離したルアー本体を有するプラグ型ジョイントルアーであって、形状記憶合金製ワイヤと、ワイヤの一端側に連結されており魚の頭部に似せて成形され第１フックが設けられた第１ルアー本体と、ワイヤの他端側に連結されており魚の尾部に似せて成形され第２フックが設けられた第２ルアー本体とを備えている。
【０００９】
この場合には、形状記憶合金製ワイヤによって第１ルアー本体と第２ルアー本体とが連結されているので、キャスティング時に重心がふらつくことなく安定し、より遠方ルアーを投げ入れることができる。また着水後の引き寄せ時において、第１ルアー本体と第２ルアー本体との振動が大きくなりすぎた場合には、形状記憶合金製ワイヤがこの振動を抑えようとするので、本体同士の絡まり合いを抑え、魚に近い動きを演出することができる。
【００１０】
ここでいう形状記憶合金とは、外力を受けて変形しても外力が取り除かれると常温において元の形状に戻ることができる性質を有する金属（超弾性合金）である（以下、発明２〜６において同じ）。本発明においては、例えば、チタン−ニッケル系合金，銅−アルミニウム系合金等の形状記憶合金を用いることができる。
【００１１】
なお、第１ルアー本体と第２ルアー本体との間の距離は、特に限定されるものではないが、水中の障害物が絡まらないようにするためには、５ミリ程度の距離を有することが好ましい。
発明２に係るソフトベイト型ルアー用ジグは、弾性を有するルアー本体が取り付けられるものであり、形状記憶合金製のワイヤ部と、ワイヤ部の一端に設けられたシンカ部と、ワイヤ部に設けられた第１フック部とを備えている。
【００１２】
この場合には、形状記憶合金製ワイヤ部にシンカ部と第１フック部とが設けられているので、ユーザはゴム状のルアー本体をこのワイヤにセットするのみで容易にリグを作ることができる。また、ワイヤ部が形状記憶合金製であるので、ソフトベイト型ルアー本体をセットしても、ソフトベイト型ルアー本来のしなやかな動きを損なうことがない。
【００１３】
発明３に係るジグは、発明２のジグにおいて、ワイヤ部の他端に設けられた連結部をさらに備えている。
この場合には、ワイヤ部の他端に設けられた連結部に、例えば、ワイヤ部に設けられているフックと異なるフックをさらに連結することができるので、必要に応じて、魚を捕らえる際のフッキングを向上させることができる。
【００１４】
発明４に係るジグは、発明２のジグにおいて、ワイヤ部の他端に設けられた第２フック部をさらに備えている。
この場合には、ワイヤ部に第２フック部が設けられており、別途フックを連結する必要がない。
発明５に係るジグは、発明２のジグにおいて、シンカ部は、ラインを係止するライン係止部をさらに備えている。
【００１５】
この場合には、ライン係止部にラインを容易に結ぶことができるので、さらに容易にリグを作ることができる。
発明６に係るルアーは、発明２から５のいずれかに記載のジグと、一方向に長く延びるように形成されたゴム製のルアー本体とを備え、ジグは、ルアー本体を貫通している。
【００１６】
この場合には、ゴム製のルアー本体内に挿入されている形状記憶合金製ワイヤが、ルアー本体の生き餌に近い動きを損なうことなく強度を補強し、より自然に近い動きを可能とする。
【００１７】
【実施の形態】
［第１実施形態］
以下、本発明の第１実施形態について、図面を参照しつつ説明する。
図１に示すように、本発明の第１実施形態を採用したジョイントプラグ１は、チタン−ニッケル合金製線状部材である形状記憶合金製ワイヤ２と、ワイヤ２の一端側に設けられた頭部ルアー本体３と、ワイヤ２の他端側に頭部ルアー本体３と隣接し、かつ所定の間隔をあけて設けられた尾部ルアー本体４とを有している。この形状記憶合金製ワイヤ２は、外力を受けて変形しても、外力が取り除かれると常温において元の形状に戻ることができる性質を有している。なお、頭部ルアー本体３尾部ルアー本体４との間の間隔は５ミリ程度である。
【００１８】
ワイヤ２は、図２に示すように、頭部ルアー本体３の頭部先端部と尾部ルアー本体４の尾部後端部との間に渡って、頭部ルアー本体３と尾部ルアー本体４とを貫通している。
頭部ルアー本体３と尾部ルアー本体４とは、それぞれ魚の頭部と魚の尾部とに似せて形成されており、左右に縦割りされた１対の半割部材を樹脂等の素材を用いて成形した後に、開口側で接着して一体化した部材である。これら頭部ルアー本体３及び尾部ルアー本体４の表面には様々な模様が塗装されている。
【００１９】
また、頭部ルアー本体３の頭部先端部にはライン（釣り糸）を係止し得る第１アイ（止め輪）１０が設けられており、第１アイ１０の下方には、水中での泳動姿勢を安定させるために斜め下方に突出するリップ１１が設けられている。また、頭部ルアー本体３の下面（腹部面）中央にも第２アイ１２が設けられ、この第２アイ１２には、図１に示すように、第１スプリットリング１３を介して第１フック１４が設けられている。
【００２０】
一方、尾部ルアー本体４の尾部後端部にも第３アイ１５が設けられ、この第３アイ１５には第２スプリットリング１６を介して第２フック１７が設けられている。
このように構成されたジョイントルアー１では、頭部ルアー本体３と尾部ルアー本体４の内部に挿入された形状記憶合金製ワイヤ２が、キャスティング時に頭部ルアー本体３と尾部ルアー本体４とが絡まりあうことを防止する。また、引き寄せ時においては、形状記憶合金製ワイヤ２が振動して、頭部ルアー本体３と尾部ルアー本体４とが魚に近いしなやかな動作をおこなう。
【００２１】
以上のように、第１実施形態に係るジョイントルアー１では、形状記憶合金製ワイヤ２によってキャスティング時の飛行姿勢が安定するので、より遠方にルアーを投げ入れることができる。また、引き寄せ時には、形状記憶合金製ワイヤ２が適度に振動するので、動きが滑らかで魚に近い動きとなる。
［第２実施形態］
以下、本発明の第２実施形態について、図面を参照しつつ説明する。
【００２２】
図３に示すように、本発明の第２実施形態に係るソフトベイト型ルアー３１は、ワーム状に形成されたゴム製のルアー本体３２と、両端がルアー本体３２からはみ出すように挿入されているチタン−ニッケル合金製ワイヤ部３３とを有している。ワイヤ部３３の一端には、円錐型の鉛製シンカ部３５が溶接されており、このシンカ部３５にはアイ３６が設けられ、このアイ３６にライン（図示せず）が係止される。また、ワイヤ部３３の中央付近には第１フック３７が設けられ、さらにワイヤ３３の他端側は９０度に折り曲げられ、この折り曲げられた部分の先端に輪状の連結部３８が形成されている。そしてこの連結部３８にリング３９を介して第２フック４０が連結されている。
【００２３】
ルアー本体３２は、釣りを開始する際にユーザが取り付ける部材である。
ラインの一端をアイ３６に結び、ワイヤの連結部３８側をルアー本体３２の頭部側から刺込み、第１フック３７及び連結部３８をルアー本体３２から突き出す。その後、必要に応じて連結部３８に第２フック４０を連結する。
このように構成されたルアーでは、ワイヤ部３３が、ワーム型ルアー本来のしなやかな動きを損なうことなくルアーの強度を向上させる。また、シンカ部３５が重りとして作用するので、別途シンカをセットする必要がない。さらに、連結部３８に第２フック４０を備えることにより、フッキングを向上させることができる。
【００２４】
［第３実施形態］
以下、本発明の第３実施形態について、図面を参照しつつ説明する。
図４に示すように、本発明の第３実施形態に係るソフトベイト型ルアー４１は、ワイヤ部４３の他端側が折り曲げられることなく、その先端に第２フック５０が溶接されており、ワイヤ部４３と一体成形されている点を除いて、第２実施形態に係るルアーと同様である。
【００２５】
このように構成されたルアーでは、第２実施形態と同様の作用効果を得ることができる。
［その他の実施形態］
（ａ）  シンカ部を有しないワイヤを用いることもできる。この場合には、ユーザが必要に応じた重さのシンカを別途セットすればよい。
【００２６】
（ｂ）  シンカ部は円錐型に限定されるものではなく、例えば、球形，円柱形等でもよい。
（ｃ）  ソフトベイト型ルアー本体の材質はゴムに限定されるものではなく、弾性を有する素材であれば、弾性ポリマー等を用いることもできる。
（ｄ）  ソフトベイト型ルアー本体は、グラブやバグに外形を似せたルアー等を用いることもできる。
【００２７】
【発明の効果】
以上のように、本発明によれば、魚のようにしなやかに動くことができるジョイントルアーを提供できる。
また、本発明によれば、ソフトベイト型ルアー本来の動きを損なうことなく、自然の生き物に近い動作をすることができる。
【００２８】
さらに、ソフトベイト型ルアーのリグの作成が容易になる。
【図面の簡単な説明】
【図１】本発明の第１実施形態を採用したプラグ型ルアーの全体図。
【図２】  本発明の第１実施形態を採用したプラグ型ルアーの断面図。
【図３】本発明の第２実施形態を採用したソフトベイト型ルアーの全体図。
【図４】本発明の第３実施形態を採用したソフトベイト型ルアーの全体図。
【符号の説明】
２  形状記憶合金製ワイヤ
３  頭部ルアー本体
４  尾部ルアー本体
３３, ４３  形状記憶合金製ワイヤ部
３７，４７  第１フック部
４０  第２フック
５０  第２フック部
【図１】
0003745868.tif 000002
【図２】
0003745868.tif 000003
【図３】
0003745868.tif 000004
【図４】
0003745868.tif 000005